(57)【要約】【課題】ユーザが好む表現態様を採用した番組を録画し易くする。【解決手段】録画予約受付部は、録画対象番組の表現態様が設定された表現態様と異なる場合には、録画対象番組と同じ内容の番組であって表現態様が設定された表現態様である同一内容番組が取得済みの番組情報に含まれているか否か判定し、同一内容番組が取得済みの番組情報に含まれている場合には、外部からの指示に応じて、録画対象番組または同一内容番組の録画予約を受け付け、同一内容番組が取得済みの番組情報に含まれていない場合には、録画対象番組の録画予約を受け付け、当該受け付け以降に新たに取得された番組情報に同一内容番組が含まれているか否か判定し、含まれている場合には、外部からの指示に応じて、受け付け済みの録画対象番組の録画予約を維持するか、あるいは、受け付け済みの録画対象番組の録画予約を同一内容番組の録画予約へ差し替える。【選択図】図４
2015226120.tif 000002
【特許請求の範囲】
【請求項１】
テレビ放送される番組を受信して録画可能な録画装置であって、
番組の内容を伝える言語に関する複数の表現態様の中から優先すべき表現態様の設定を受け付ける設定受付部と、
番組の放送予定を記述した番組情報をテレビ放送から取得する番組情報取得部と、
取得済みの前記番組情報に含まれる番組の中から録画予約の対象とする録画対象番組の選択を受け付ける番組選択受付部と、
前記録画対象番組の前記表現態様が前記設定された表現態様である場合には、前記録画対象番組の録画予約を受け付ける録画予約受付部と、
録画予約に応じて、テレビ放送される番組を所定の記憶媒体に録画する録画部とを備え、
前記録画予約受付部は、
前記録画対象番組の前記表現態様が前記設定された表現態様と異なる場合には、前記録画対象番組と同じ内容の番組であって前記表現態様が前記設定された表現態様である同一内容番組が前記取得済みの番組情報に含まれているか否か判定し、
前記同一内容番組が前記取得済みの番組情報に含まれている場合には、外部からの指示に応じて、前記録画対象番組または前記同一内容番組の録画予約を受け付け、
前記同一内容番組が前記取得済みの番組情報に含まれていない場合には、前記録画対象番組の録画予約を受け付け、当該受け付け以降に前記番組情報取得部により新たに取得された番組情報に前記同一内容番組が含まれているか否か判定し、当該新たに取得された番組情報に前記同一内容番組が含まれている場合には、外部からの指示に応じて、前記受け付け済みの前記録画対象番組の録画予約を維持するか、あるいは、前記受け付け済みの前記録画対象番組の録画予約を前記同一内容番組の録画予約へ差し替える、
ことを特徴とする録画装置。
【請求項２】
前記録画予約受付部は、前記録画対象番組の前記表現態様が前記設定された表現態様と異なり、前記同一内容番組が前記取得済みの番組情報に含まれていない場合、
前記新たに取得された番組情報に前記同一内容番組が含まれていると判定した後に、前記受け付け済みの前記録画対象番組の録画予約を前記同一内容番組の録画予約へ差し替えるか否かを指示させる第１画面を表示部に表示させ、
前記第１画面の表示に応じて前記差し替えが指示された場合には、前記受け付け済みの前記録画対象番組の録画予約を前記同一内容番組の録画予約へ差し替え、
前記第１画面の表示に応じて前記差し替えが指示されなかった場合には、前記受け付け済みの前記録画対象番組の録画予約を維持することを特徴とする請求項１に記載の録画装置。
【請求項３】
前記録画予約受付部は、前記録画対象番組の前記表現態様が前記設定された表現態様と異なり、前記同一内容番組が前記取得済みの番組情報に含まれていない場合、
今後取得される番組情報に前記同一内容番組が含まれていれば前記受け付け済みの前記録画対象番組の録画予約を前記同一内容番組の録画予約へ差し替えることの是非を指示させる第２画面を表示部に表示させ、
前記第２画面の表示に応じて前記差し替えが指示された場合には、前記新たに取得された番組情報に前記同一内容番組が含まれていると判定した場合、前記受け付け済みの前記録画対象番組の録画予約を前記同一内容番組の録画予約へ差し替え、
前記第２画面の表示に応じて前記差し替えが指示されなかった場合には、前記受け付け済みの前記録画対象番組の録画予約を維持することを特徴とする請求項１に記載の録画装置。
【請求項４】
前記表現態様が前記設定された表現態様と異なる前記録画対象番組が録画された後に前記番組情報取得部により新たに取得された番組情報に、前記同一内容番組が含まれており、かつ、前記録画予約受付部が、前記差し替えの指示を受けている場合には、前記録画部は、録画済みの前記録画対象番組に上書きして前記同一内容番組を録画することを特徴とする請求項１〜請求項３のいずれかに記載の録画装置。
【請求項５】
前記記憶媒体に録画された番組の中から再生の対象として選択された番組を再生可能な再生部を備え、
前記表現態様が前記設定された表現態様と異なる前記録画対象番組が録画されて前記再生の対象として選択された場合、前記録画予約受付部は、前記同一内容番組が現時点で取得済みの番組情報に含まれている場合には、外部からの指示に応じて、前記同一内容番組の録画予約を受け付けることを特徴とする請求項１〜請求項４のいずれかに記載の録画装置。
【請求項６】
視聴の対象として選択された番組を受信したテレビ放送から抽出しつつ当該番組にかかる映像および音声を出力可能な出力処理部を備え、
前記表現態様が前記設定された表現態様と異なる番組が前記視聴の対象として選択された場合、前記録画予約受付部は、前記視聴の対象として選択された番組と同じ内容の番組であって前記表現態様が前記設定された表現態様である同一内容番組が現時点で取得済みの番組情報に含まれている場合には、外部からの指示に応じて、当該同一内容番組の録画予約を受け付けることを特徴とする請求項１〜請求項５のいずれかに記載の録画装置。
【請求項７】
テレビ放送される番組を受信して録画可能な録画装置であって、
番組の内容を伝える言語に関する複数の表現態様についての優先順位の設定を受け付ける設定受付部と、
番組の放送予定を記述した番組情報をテレビ放送から取得する番組情報取得部と、
取得済みの前記番組情報に含まれる番組の中から録画予約の対象とする録画対象番組の選択を受け付ける番組選択受付部と、
前記録画対象番組の前記表現態様が前記優先順位が最も高い表現態様である場合には、前記録画対象番組の録画予約を受け付ける録画予約受付部と、
録画予約に応じて、テレビ放送される番組を所定の記憶媒体に録画する録画部とを備え、
前記録画予約受付部は、
前記録画対象番組の前記表現態様が前記優先順位が最も高い表現態様ではない場合には、前記録画対象番組と同じ内容の番組であって前記表現態様が前記録画対象番組の前記表現態様よりも前記優先順位が高い表現態様である同一内容番組が前記取得済みの番組情報に含まれているか否か判定し、
前記同一内容番組が前記取得済みの番組情報に含まれている場合には、外部からの指示に応じて、前記録画対象番組または前記同一内容番組の録画予約を受け付け、
前記同一内容番組が前記取得済みの番組情報に含まれていない場合には、前記録画対象番組の録画予約を受け付け、当該受け付け以降に前記番組情報取得部により新たに取得された番組情報に前記同一内容番組が含まれているか否か判定し、当該新たに取得された番組情報に前記同一内容番組が含まれている場合には、外部からの指示に応じて、前記受け付け済みの前記録画対象番組の録画予約を維持するか、あるいは、前記受け付け済みの前記録画対象番組の録画予約を前記同一内容番組の録画予約へ差し替える、
ことを特徴とする録画装置。
【請求項８】
前記複数の表現態様には少なくとも、字幕表示、言語の吹き替え、２ヵ国語音声、が含まれることを特徴とする請求項１〜請求項７のいずれかに記載の録画装置。
【発明の詳細な説明】
【技術分野】
【０００１】
本発明は、録画装置に関する。
【背景技術】
【０００２】
テレビ放送される番組（コンテンツ）は、内容が同じであっても、その番組の内容を伝える言語に関する表現態様が様々である。例えば、ドラマや映画等であれば、字幕表示を伴っていたり、言語の吹き替えがされていたり、あるいは、音声が２ヶ国語（あるいは多国語。以下同様。）に対応していたりする。
【０００３】
また、ＤＶＤレコーダは、番組の録画予約を受け付けた際に、録画予約を受け付けた番組と同じ内容の番組が放送される予定があるか否かをＲＯＭに記憶されたＥＰＧデータに基づいて判断し、録画予約を受け付けた番組と同じ内容の番組が放送される予定がある場合に、録画予約を受け付けた番組と同じ内容の番組とのいずれが画質の点で録画設定に近いかを判断し、同じ内容の番組の画質が録画予約を受け付けた番組の画質よりも録画設定に近い場合に、録画予約を受け付けた番組に替えて同じ内容の番組を録画予約するか否かを選択させる画面を表示装置に表示させる構成が知られている（特許文献１参照）。
【０００４】
また、表示装置と接続可能な予約装置であって、ユーザからの指示に基づいて複数の番組情報から１つの番組情報を指定番組情報として選択する選択手段と、指定番組情報に関連する代替番組情報が複数の番組情報に含まれる場合、当該代替番組情報を示す画面情報を表示装置に出力する出力手段と、前記画面情報が出力された後、ユーザの指示に応じて前記指定番組情報に対応する番組ストリームの録画予約を受け付けるか前記代替番組情報に対応する番組ストリームの録画予約を受け付けるかを選択し、当該選択された番組情報に対応する番組ストリームの録画予約を受け付ける受付手段と、受け付けた録画予約に基づいて番組ストリームを記憶媒体に記録する録画手段と、を備える構成が知られている（特許文献２参照）。
【先行技術文献】
【特許文献】
【０００５】
【特許文献１】特開２０１０‐１８３４６９号公報
【特許文献２】特開２０１０‐１１８７２３号公報
【発明の概要】
【発明が解決しようとする課題】
【０００６】
番組についての上述したような様々な表現態様のいずれを好むかはユーザにより異なる。また、ユーザは、自分が好む表現態様を採用した番組を、より少ない負担（操作）で録画することを望む。例えば、前記文献２のように、指定番組情報に関連する代替番組情報が存在する場合に必ず当該代替番組情報を示す画面情報を表示装置に出力する構成とした場合、ユーザに選択を要求する回数が増えてしまい、ユーザの利便性を却って損ねる場合がある。また、ユーザが好む表現態様を採用した番組がより録画され易くすることでユーザの利便性を向上させることができるが、この点で前記各文献には工夫の余地が残されていた。
【０００７】
本発明は少なくとも上述の課題を解決するためになされたものであり、ユーザが好む表現態様を採用した番組を録画し易い録画装置を提供する。
【課題を解決するための手段】
【０００８】
本発明の態様の一つは、テレビ放送される番組を受信して録画可能な録画装置であって、番組の内容を伝える言語に関する複数の表現態様の中から優先すべき表現態様の設定を受け付ける設定受付部と、番組の放送予定を記述した番組情報をテレビ放送から取得する番組情報取得部と、取得済みの前記番組情報に含まれる番組の中から録画予約の対象とする録画対象番組の選択を受け付ける番組選択受付部と、前記録画対象番組の前記表現態様が前記設定された表現態様である場合には、前記録画対象番組の録画予約を受け付ける録画予約受付部と、録画予約に応じて、テレビ放送される番組を所定の記憶媒体に録画する録画部とを備え、
前記録画予約受付部は、前記録画対象番組の前記表現態様が前記設定された表現態様と異なる場合には、前記録画対象番組と同じ内容の番組であって前記表現態様が前記設定された表現態様である同一内容番組が前記取得済みの番組情報に含まれているか否か判定し、前記同一内容番組が前記取得済みの番組情報に含まれている場合には、外部からの指示に応じて、前記録画対象番組または前記同一内容番組の録画予約を受け付け、前記同一内容番組が前記取得済みの番組情報に含まれていない場合には、前記録画対象番組の録画予約を受け付け、当該受け付け以降に前記番組情報取得部により新たに取得された番組情報に前記同一内容番組が含まれているか否か判定し、当該新たに取得された番組情報に前記同一内容番組が含まれている場合には、外部からの指示に応じて、前記受け付け済みの前記録画対象番組の録画予約を維持するか、あるいは、前記受け付け済みの前記録画対象番組の録画予約を前記同一内容番組の録画予約へ差し替える。
【０００９】
本態様によれば、取得済みの番組情報の中から選択された録画対象番組の表現態様が、既に設定されている表現態様（ユーザが好む表現態様）と異なり、かつ、録画対象番組と同じ内容の番組であって表現態様が前記設定された表現態様である同一内容番組が取得済みの番組情報に含まれていない場合であっても、一旦、録画対象番組の録画予約が受け付けられつつ、その後も、新たに取得された番組情報に同一内容番組が含まれているか否かが判定され、新たに取得された番組情報に同一内容番組が含まれている場合には、外部からの指示に応じて、前記受け付け済みの録画対象番組の録画予約を維持するか、あるいは、前記受け付け済みの録画対象番組の録画予約を同一内容番組の録画予約へ差し替えるか選択する。従って、ユーザが好む表現態様を採用した番組を録画できる可能性がより高まる。
【００１０】
また、本発明の態様の一つは、テレビ放送される番組を受信して録画可能な録画装置であって、番組の内容を伝える言語に関する複数の表現態様についての優先順位の設定を受け付ける設定受付部と、番組の放送予定を記述した番組情報をテレビ放送から取得する番組情報取得部と、取得済みの前記番組情報に含まれる番組の中から録画予約の対象とする録画対象番組の選択を受け付ける番組選択受付部と、前記録画対象番組の前記表現態様が前記優先順位が最も高い表現態様である場合には、前記録画対象番組の録画予約を受け付ける録画予約受付部と、録画予約に応じて、テレビ放送される番組を所定の記憶媒体に録画する録画部とを備え、
前記録画予約受付部は、前記録画対象番組の前記表現態様が前記優先順位が最も高い表現態様ではない場合には、前記録画対象番組と同じ内容の番組であって前記表現態様が前記録画対象番組の前記表現態様よりも前記優先順位が高い表現態様である同一内容番組が前記取得済みの番組情報に含まれているか否か判定し、前記同一内容番組が前記取得済みの番組情報に含まれている場合には、外部からの指示に応じて、前記録画対象番組または前記同一内容番組の録画予約を受け付け、前記同一内容番組が前記取得済みの番組情報に含まれていない場合には、前記録画対象番組の録画予約を受け付け、当該受け付け以降に前記番組情報取得部により新たに取得された番組情報に前記同一内容番組が含まれているか否か判定し、当該新たに取得された番組情報に前記同一内容番組が含まれている場合には、外部からの指示に応じて、前記受け付け済みの前記録画対象番組の録画予約を維持するか、あるいは、前記受け付け済みの前記録画対象番組の録画予約を前記同一内容番組の録画予約へ差し替える。
【００１１】
本態様によれば、取得済みの番組情報の中から選択された録画対象番組の表現態様が、既に設定されている優先順位が最も高い表現態様（ユーザが最も好む表現態様）と異なり、かつ、録画対象番組と同じ内容の番組であって録画対象番組の表現態様よりも前記優先順位が高い表現態様を採用した同一内容番組が取得済みの番組情報に含まれていない場合であっても、一旦、録画対象番組の録画予約が受け付けられつつ、その後も、新たに取得された番組情報に同一内容番組が含まれているか否かが判定され、新たに取得された番組情報に同一内容番組が含まれている場合には、外部からの指示に応じて、前記受け付け済みの録画対象番組の録画予約を維持するか、あるいは、前記受け付け済みの録画対象番組の録画予約を同一内容番組の録画予約へ差し替えるか選択する。従って、ユーザにとって優先順位が高い表現態様を採用した番組を録画できる可能性がより高まる。
【００１２】
本発明の技術的思想は、録画装置以外の態様によって実現されてもよい。例えば、録画装置が実行する処理を方法の発明として捉えたり、当該処理を録画装置（録画装置が搭載するコンピュータ）に実行させるためのプログラムや、当該プログラムを記憶したコンピュータ読取可能な記憶媒体を、それぞれ発明として捉えたりすることができる。
【図面の簡単な説明】
【００１３】
【図１】レコーダの概略構成を示すブロック図。
【図２】表示装置に表示された電子番組表を例示する図。
【図３】表示装置に表示された録画設定画面を例示する図。
【図４】第１実施例の録画予約処理を示すフローチャート。
【図５】表示装置に表示された選択画面を例示する図。
【図６】表示装置に表示された選択画面（第１画面）を例示する図。
【図７】第２実施例の録画予約処理を示すフローチャート。
【図８】事前確認画面（第２画面）を例示する図。
【図９】第４実施例の録画予約処理を示すフローチャート。
【図１０】第５実施例の録画予約処理を示すフローチャート。
【発明を実施するための形態】
【００１４】
本発明の実施形態として、前記録画予約受付部は、前記録画対象番組の前記表現態様が前記設定された表現態様と異なり、前記同一内容番組が前記取得済みの番組情報に含まれていない場合、前記新たに取得された番組情報に前記同一内容番組が含まれていると判定した後に、前記受け付け済みの前記録画対象番組の録画予約を前記同一内容番組の録画予約へ差し替えるか否かを指示させる第１画面を表示部に表示させ、前記第１画面の表示に応じて前記差し替えが指示された場合には、前記受け付け済みの前記録画対象番組の録画予約を前記同一内容番組の録画予約へ差し替え、前記第１画面の表示に応じて前記差し替えが指示されなかった場合には、前記受け付け済みの前記録画対象番組の録画予約を維持するとしてもよい。
また、本発明の実施形態として、前記録画予約受付部は、前記録画対象番組の前記表現態様が前記設定された表現態様と異なり、前記同一内容番組が前記取得済みの番組情報に含まれていない場合、今後取得される番組情報に前記同一内容番組が含まれていれば前記受け付け済みの前記録画対象番組の録画予約を前記同一内容番組の録画予約へ差し替えることの是非を指示させる第２画面を表示部に表示させ、前記第２画面の表示に応じて前記差し替えが指示された場合には、前記新たに取得された番組情報に前記同一内容番組が含まれていると判定した場合、前記受け付け済みの前記録画対象番組の録画予約を前記同一内容番組の録画予約へ差し替え、前記第２画面の表示に応じて前記差し替えが指示されなかった場合には、前記受け付け済みの前記録画対象番組の録画予約を維持するとしてもよい。
【００１５】
また、本発明の実施形態として、前記表現態様が前記設定された表現態様と異なる前記録画対象番組が録画された後に前記番組情報取得部により新たに取得された番組情報に、前記同一内容番組が含まれており、かつ、前記録画予約受付部が、前記差し替えの指示を受けている場合には、前記録画部は、録画済みの前記録画対象番組に上書きして前記同一内容番組を録画するとしてもよい。
また、本発明の実施形態として、前記記憶媒体に録画された番組の中から再生の対象として選択された番組を再生可能な再生部を備え、前記表現態様が前記設定された表現態様と異なる前記録画対象番組が録画されて前記再生の対象として選択された場合、前記録画予約受付部は、前記同一内容番組が現時点で取得済みの番組情報に含まれている場合には、外部からの指示に応じて、前記同一内容番組の録画予約を受け付けるとしてもよい。
また、本発明の実施形態として、視聴の対象として選択された番組を受信したテレビ放送から抽出しつつ当該番組にかかる映像および音声を出力可能な出力処理部を備え、前記表現態様が前記設定された表現態様と異なる番組が前記視聴の対象として選択された場合、前記録画予約受付部は、前記視聴の対象として選択された番組と同じ内容の番組であって前記表現態様が前記設定された表現態様である同一内容番組が現時点で取得済みの番組情報に含まれている場合には、外部からの指示に応じて、当該同一内容番組の録画予約を受け付けるとしてもよい。
また、本発明の実施形態として、前記複数の表現態様には少なくとも、字幕表示、言語の吹き替え、２ヵ国語音声、が含まれるとしてもよい。
【００１６】
以下、図面を参照しながら本発明の実施形態を更に説明する。以下の実施形態では、テレビ放送される番組を受信して録画可能な録画装置の一例であるハードディスクレコーダ（以下、レコーダ）に本発明を適用した場合について説明する。なお、本発明にかかる録画装置は、録画（記録）再生装置、放送受信装置、等と呼んでもよい。
【００１７】
（装置の概略）
まず、レコーダ１００の構成について説明する。レコーダ１００は、図１に示すように、表示装置２００（表示部の一例）が接続されるレコーダ本体１と、レコーダ本体１を遠隔操作するリモートコントローラ（リモコン）２とを備えている。
【００１８】
レコーダ本体１は、チューナ１１と、ＨＤＤ（Hard disk drive）部１２と、ＤＶＤ（Digital Versatile Disk）部１３と、信号処理部１４と、ＥＰＧ（Electronic Program Guide：電子番組ガイド）データ抽出部１５と、ＯＳＤ（On-Screen Display）部１６と、合成部１７と、出力部１８と、受信部１９と、ＣＰＵ２０と、ＲＯＭ２１と、ＲＡＭ２２とを含んでおり、これらはバス１ａを介して接続されている。
【００１９】
チューナ１１には、アンテナ（図示省略）が接続されており、チューナ１１は、地上デジタル放送、ＢＳデジタル放送、およびＣＳデジタル放送などの様々なテレビ放送を受信する。そして、チューナ１１は、受信した放送信号を信号処理部１４およびＥＰＧデータ抽出部１５に出力する。なお、チューナ１１が出力する放送信号には、番組を構成する映像音声情報および放送予定の番組の番組情報（ＥＰＧデータ）が含まれている。また、番組情報は、チャンネル名、番組名、番組の内容を伝える言語に関する表現態様（字幕版、吹き替え版、２ヵ国語音声版、などのいずれか）の別、解像度やビットレートなどの画質情報、番組の長さ（時間長）、開始時間、終了時間、および、番組内容の紹介などを含む。
【００２０】
ＨＤＤ部１２は、ハードディスクなどを有しており、番組を構成する映像音声情報を記録し、また、記録した映像音声情報を信号処理部１４に出力する。ＤＶＤ部１３は、ディスクトレイや光ピックアップなどを有しており、ディスクトレイに載置されたＤＶＤ（図示省略）に対する読み込みおよび書き込みを行う。そして、ＤＶＤ部１３は、ＤＶＤから読み込んだ映像音声情報を信号処理部１４に出力する。むろん、ＤＶＤ部１３は、ＤＶＤ以外の光ディスク（ＣＤやブルーレイディスク等）に対する読み込みおよび書き込みを実行可能な製品でもよい。
【００２１】
信号処理部１４は、デコーダなどを有しており、チューナ１１、ＨＤＤ部１２、およびＤＶＤ部１３から入力された信号に対して復調等の所定の処理を施す。そして、信号処理部１４は、所定の処理が施された信号を合成部１７に出力する。ＥＰＧデータ抽出部１５は、チューナ１１から入力された放送信号から定期的あるいは不定期に、その時点で最新のＥＰＧデータを抽出する。そして、抽出されたＥＰＧデータは、ＲＯＭ２１に記憶される。ＥＰＧデータ抽出部１５は、番組の放送予定を記述した番組情報をテレビ放送から取得する番組情報取得部に該当する。
【００２２】
ＯＳＤ部１６は、ＯＳＤ信号を生成するとともに、生成したＯＳＤ信号を合成部１７に出力する。ＯＳＤ部１６は、現時点でＲＯＭ２１に記憶されているＥＰＧデータに基づいて、電子番組表ＰＧ（図２参照）を表示するためのＯＳＤ信号を生成する。また、ＯＳＤ部１６は、後述するような各種画面（例えば、符号ＲＳ，ＳＳ１，ＳＳ２，ＡＳで示される画面等）を表示するためのＯＳＤ信号を生成する。合成部１７は、信号処理部１４から入力された信号に、ＯＳＤ部１６から入力されたＯＳＤ信号を重畳して出力部１８に出力する。
【００２３】
出力部１８は、合成部１７から入力された信号を表示装置２００に出力する。表示装置２００は、たとえば、テレビ（テレビジョン受像機）であり、番組の映像や電子番組表ＰＧなどを表示し、番組の音声を不図示のスピーカから出力する。あるいは、レコーダ本体１および表示装置２００の機能を含んだ構成を、一つの製品（テレビ）として捉えることも可能である。受信部１９は、フォトダイオードなどを含み、リモコン２から出力されるリモコン信号を受信する。ＣＰＵ２０は、レコーダ本体１の動作を所定のプログラムに従って制御する。ＲＯＭ２１は、書き換え可能な不揮発性のメモリであり、たとえば、フラッシュメモリである。ＲＯＭ２１は、レコーダ本体１の動作を制御するための前記プログラムや、地上デジタル放送、ＢＳデジタル放送、およびＣＳデジタル放送等の数日間分のＥＰＧデータなどを記憶する。ＲＡＭ２２は、たとえば、ＤＲＡＭであり、前記プログラムが実行される際にデータなどを一時的に記憶する。
【００２４】
レコーダ１００は、図２に示すように、ユーザがリモコン２を操作することにより、電子番組表ＰＧを表示装置２００に表示させるとともに、ユーザが電子番組表ＰＧから選択した番組を録画予約の対象（録画対象番組）として受け付けることが可能である。このような、取得済みのＥＰＧデータに基づく電子番組表ＰＧの表示および、電子番組表ＰＧに情報が含まれる番組の中からの録画対象番組の選択受け付け、に携わる構成（例えば、ＣＰＵ２０、ＲＯＭ２１、ＲＡＭ２２、ＯＳＤ部１６、合成部１７、出力部１８、受信部１９等）は、番組選択受付部に該当する。
【００２５】
また、レコーダ１００は、図３に示すように、ユーザがリモコン２を操作することにより、録画設定画面ＲＳを表示装置２００に表示させるとともに、ユーザが録画設定画面ＲＳを介して前記表現態様に関する設定をすることが可能なように構成されている。例えば、ユーザは、レコーダ１００に対し、「字幕版」、「吹き替え版」または「２ヵ国語音声版」のいずれかから所望する表現態様を設定する。このような録画設定の内容は、ＲＯＭ２１に記憶される。このような、録画設定画面ＲＳの表示および優先すべき表現態様の設定の受け付け、に携わる構成（ＣＰＵ２０、ＲＯＭ２１、ＲＡＭ２２、ＯＳＤ部１６、合成部１７、出力部１８、受信部１９等）は、設定受付部に該当する。
【００２６】
また、ＨＤＤ部１４内のハードディスクやＤＶＤ１３部内のＤＶＤ等の光ディスクに記録された（つまり録画された）いずれかの番組の映像音声情報に基づく映像や音声の信号を表示装置２００に出力する処理（再生処理）に携わる構成（例えば、ＣＰＵ２０、ＲＯＭ２１、ＲＡＭ２２、ＨＤＤ部１２、ＤＶＤ部１３、信号処理部１４、合成部１７、出力部１８、受信部１９等）は、記憶媒体に録画された番組の中から再生の対象として選択された番組を再生可能な再生部、に該当する。
また、チューナ１１が受信した放送信号に含まれるいずれかの番組の映像音声情報に基づく映像や音声の信号を表示装置２００に出力する処理に携わる構成（例えば、ＣＰＵ２０、ＲＯＭ２１、ＲＡＭ２２、チューナ１１、信号処理部１４、合成部１７、出力部１８、受信部１９等）は、（リアルタイムでの）視聴の対象として選択された番組を受信したテレビ放送から抽出しつつ当該番組にかかる映像および音声を出力可能な出力処理部、に該当する。
【００２７】
（第１実施例）
図４は、第１実施例にかかる録画予約処理を示すフローチャートである。当該フローチャートの各ステップは、ＣＰＵ２０により実行される。
ステップＳ１００では、ＣＰＵ２０は、録画対象番組の選択を受け付けたか否か判定する。つまり、電子番組表ＰＧを表示装置２００に表示させつつ、ユーザが操作するリモコン２からの指示により、電子番組表ＰＧに情報が含まれるいずれかの番組が録画対象番組として選択されたか否かを判定する。そして、録画対象番組の選択を受け付けた場合には、ステップＳ１１０へ進み、一方、録画対象番組の選択を受け付けていない場合には、ステップＳ１００の判定を繰り返す。
【００２８】
ステップＳ１１０では、ＣＰＵ２０は、録画対象番組の前記表現態様が、設定された表現態様と一致するか否か判定する。ここで言う「設定された表現態様」とは、図３に例示したような録画設定画面ＲＳを介して設定された表現態様である。図４に示す録画予約処理は、このような表現態様の設定が既にされている状況で実行される。ここでは、一例として、録画設定画面ＲＳを介して、ユーザにより「字幕版」が設定されているものとする。上述したように、ＲＯＭ２１に記憶されたＥＰＧデータには、放送予定の各番組についてのチャンネル名、番組名、前記表現態様…といった各種情報が記述されているため、ＣＰＵ２０は、このような情報を参照することで、録画対象番組の前記表現態様が、設定された表現態様と一致するか否か判定する。そして、録画対象番組の前記表現態様が、設定された表現態様と一致する場合（録画対象番組の前記表現態様が「字幕版」である場合）は、ステップＳ１６０へ進み、一方、録画対象番組の前記表現態様が、設定された表現態様と異なる場合（例えば、録画対象番組の前記表現態様が「吹き替え版」である場合）は、ステップＳ１２０へ進む。
【００２９】
ステップＳ１６０では、ＣＰＵ２０は、録画対象番組の録画予約を受け付ける。ステップＳ１１０からステップＳ１６０へ進んだ場合には、ステップＳ１００で選択された録画対象番組が、まさしくユーザが望む表現態様（字幕版）による番組であるため、後述の選択画面ＳＳ１等による選択をユーザに求めることなく、録画対象番組の録画予約を受け付ける。
【００３０】
一方、ステップＳ１２０では、ＣＰＵ２０は、録画対象番組と同じ内容の番組であってかつ前記表現態様が前記設定された表現態様である番組（以下、同一内容番組）が、電子番組表ＰＧ（ＥＰＧデータ）に含まれているか否か判定する。同じ内容の番組とは、例えば、再放送される番組などであり、番組名や番組の長さなどに基づいて判断される。このような同じ内容の番組であって、前記表現態様が、前記設定された表現態様（字幕版）に一致する番組の存在をＲＯＭ２１に記憶されたＥＰＧデータに基づいて抽出できた場合に、ＣＰＵ２０は“同一内容番組有り”と判定し、ステップＳ１３０へ進む。一方、当該ＥＰＧデータを参照しても同一内容番組が無い場合は、ステップＳ１７０へ進む。
【００３１】
ステップＳ１３０では、ＣＰＵ２０は、選択画面ＳＳ１を表示装置２００に表示させる。図５は、選択画面ＳＳ１の一例である。ここで、ステップＳ１００において、４月１日の午後４時から放送される「ドラマ○○○」というタイトルのドラマの吹き替え版が、録画対象番組として選択されたと仮定する（図２参照）。また、ステップＳ１２０において、ＥＰＧデータを参照した結果、４月１日から５日後の４月６日の午後４時から同じ「ドラマ○○○」の字幕版が放送される予定であることが判ったと仮定する。このような場合、ステップＳ１００→ステップＳ１１０→ステップＳ１２０→ステップＳ１３０と処理が進み、ステップＳ１３０において選択画面ＳＳ１が表示される。選択画面ＳＳ１には、例えば、「この番組は、４月６日  ＰＭ４：００  に字幕版が放送されます。そちらに予約を差し替えますか？」等といったメッセージとともに、「はい」、「いいえ」といった、同一内容番組（４月６日の午後４時から放送される「ドラマ○○○」の字幕版）の録画予約、または、録画対象番組（４月１日の午後４時から放送される「ドラマ○○○」の吹き替え版）の録画予約、のいずれかを選択させるための表示がなされる。
【００３２】
ステップＳ１４０では、ＣＰＵ２０は、選択画面ＳＳ１の表示に対する応答（外部つまりユーザのリモコン２の操作による指示）を監視し、リモコン２によって、「はい（同一内容番組の録画予約）」が選択された場合にはステップＳ１５０へ進み、「いいえ（録画対象番組の録画予約）」が選択された場合にはステップＳ１６０へ進む。
ステップＳ１５０では、ＣＰＵ２０は、同一内容番組の録画予約を受け付ける。なお、ＣＰＵ２０が録画予約を受け付けるとは、ＣＰＵ２０が当該録画予約を有効なものとして認定することを意味し、ユーザに更なる行為（操作）を必ずしも要求するものではない。ただし、ステップＳ１５０，Ｓ１６０（および後述のステップＳ１７０，Ｓ２１０等）において、ＣＰＵ２０は、録画予約する意思を最終確認するためのボタン等をユーザに押させることで、録画予約を正式に受け付けるとしてもよい。
【００３３】
本実施例では、ステップＳ１２０において“同一内容番組無し”と判定した場合に、録画予約処理を中止させたり、ステップＳ１６０に進んで録画対象番組の録画予約を確定させたりすることを排除しない。ただし、以下に説明するように、ステップＳ１２０において“同一内容番組無し”と判定した場合に、さらにステップＳ１７０以降の処理を行うことも本実施例の特徴の一つと言える。
【００３４】
ステップＳ１７０では、ＣＰＵ２０は、録画対象番組の録画予約を受け付ける。ここで受け付けた録画予約は、後述のＳ２１０で差し替えられない限り、有効である。
次に、ステップＳ１８０では、ＣＰＵ２０は、同一内容番組が、電子番組表ＰＧ（ＥＰＧデータ）に含まれているか否か判定する。ステップＳ１８０における判定方法は、ステップＳ１２０と同じである。ただし、ステップＳ１８０において参照するＲＯＭ２１に記憶されたＥＰＧデータは、ステップＳ１２０で参照したＥＰＧデータよりも新しいデータである。つまり、ステップＳ１７０で一旦、録画対象番組の録画予約を受け付けた後、新しいＥＰＧデータがテレビ放送から得られた場合に、当該新しいＥＰＧデータを参照して同一内容番組の有無を判定する。ＣＰＵ２０は、ステップＳ１８０において“同一内容番組有り”と判定した場合に、ステップＳ１９０へ進む。
【００３５】
ステップＳ１９０では、ＣＰＵ２０は、選択画面ＳＳ２を表示装置２００に表示させる。選択画面ＳＳ２を表示させるタイミングは種々考えられるが、例えば、ステップＳ１８０で“同一内容番組有り”と判定した後であって、ユーザのリモコン２の操作により表示装置２００に電子番組表ＰＧを表示させたときに、併せて（例えば、電子番組表ＰＧに重ねて）選択画面ＳＳ２を表示させる。選択画面ＳＳ２は、特許請求の範囲における第１画面の一例である。
【００３６】
図６は、選択画面ＳＳ２の一例である。図６では簡単のため、表示装置２００に選択画面ＳＳ２のみを表示した場合を示している。図６の説明に際しても、ステップＳ１００において、４月１日の午後４時から放送される「ドラマ○○○」の吹き替え版が、録画対象番組として選択されたと仮定する。また、ステップＳ１８０において、最新のＥＰＧデータを参照した結果、４月９日の午後４時から同じ「ドラマ○○○」の字幕版が放送される予定であることが判ったと仮定する。このような場合、ステップＳ１００→ステップＳ１１０→ステップＳ１２０→ステップＳ１７０→ステップＳ１８０→ステップＳ１９０と処理が進み、ステップＳ１９０において選択画面ＳＳ２が表示される。選択画面ＳＳ２には、例えば、「この番組は、４月９日  ＰＭ４：００  に字幕版が放送されます。そちらに予約を差し替えますか？」等といったメッセージとともに、「はい」、「いいえ」といった、同一内容番組（４月９日の午後４時から放送される「ドラマ○○○」の字幕版）の録画予約、または、録画対象番組（４月１日の午後４時から放送される「ドラマ○○○」の吹き替え版）の録画予約、のいずれかを選択させるための表示がなされる。
【００３７】
ステップＳ２００では、ＣＰＵ２０は、選択画面ＳＳ２の表示に対する応答（外部つまりユーザのリモコン２の操作による指示）を監視し、リモコン２によって、「はい（同一内容番組の録画予約）」が選択された場合にはステップＳ２１０へ進み、「いいえ（録画対象番組の録画予約）」が選択された場合にはステップＳ２２０へ進む。
【００３８】
ステップＳ２１０では、ＣＰＵ２０は、同一内容番組の録画予約を受け付ける。当該ステップＳ２１０で言う同一内容番組とは、むろん、ステップＳ１８０の判定で存在（放送予定）が確認された同一内容番組である。また、当該ステップＳ２１０で同一内容番組の録画予約を受け付けるとは、ステップＳ１７０で受け付け済みの録画対象番組の録画予約を、同一内容番組の録画予約へ差し替えることを指す。つまり、ステップＳ２１０により、ステップＳ１７０で受け付け済みの録画対象番組の録画予約が取り消され、替わりに、同一内容番組の録画予約が有効化される。一方、ＣＰＵ２０は、ステップＳ２２０では、このような差し替えを実行せず、ステップＳ１７０で受け付け済みの録画対象番組の録画予約をそのまま維持する（実質的には、ステップＳ２２０では何もしない）。ステップＳ１５０，Ｓ１６０，Ｓ２１０，Ｓ２２０の後、当該フローチャートが終了する。
【００３９】
当該フローチャート（あるいは後述する各フローチャート）で受け付けられた録画予約に応じて、レコーダ１００が、テレビ放送される番組を所定の記憶媒体（ハードディスク等）に録画する。このような録画の実現に携わる構成（ＣＰＵ２０、ＲＯＭ２１、ＲＡＭ２２、チューナ部１１、ＨＤＤ部１２等）は、録画部に該当する。なお、当該フローチャート（あるいは後述する各フローチャート）を実行する点で、少なくともＣＰＵ２０は、録画予約受付部として機能すると言える。
【００４０】
このように本実施例によれば、ユーザが電子番組表ＰＧを見ながら任意に選択（ステップＳ１００）した録画対象番組の表現態様（例えば、吹き替え版）が、先に録画設定画面ＲＳを介して設定された表現態様（例えば、字幕版）と異なる場合（ステップＳ１１０において“Ｎｏ”）、その時点で取得されているＥＰＧデータに基づいて同一内容番組の放送予定の有無が判定され（ステップＳ１２０）、同一内容番組の放送予定が有る場合には選択画面ＳＳ１が表示され（ステップＳ１３０）、ユーザに、録画対象番組と同一内容番組とのいずれを録画予約するかを選択させる（ステップＳ１４０，Ｓ１５０，Ｓ１６０）ことができる。そのため、ユーザが所望する表現態様を採用した番組が録画され易い。
【００４１】
また本実施例によれば、録画対象番組の表現態様が、録画設定画面ＲＳを介して設定された表現態様と一致する場合（ステップＳ１１０において“Ｙｅｓ”）には、表現態様が異なる同じ内容の番組の放送予定をわざわざサーチしたり、そのサーチ結果をユーザに提示したりしないため、処理が簡略化され、また、ユーザの手間を最小限化することができる。
【００４２】
さらに本実施例によれば、録画対象番組が選択されたタイミングでの、同一内容番組の有無の判定（ステップＳ１２０）において“同一内容番組無し”と判定された場合であっても、その後新たに取得されたＥＰＧデータに基づいて、再度、同一内容番組の有無の判定（ステップＳ１８０）がなされる。そして、当該再度の判定において“同一内容番組有り”と判定されると、選択画面ＳＳ２が表示され（ステップＳ１９０）、ユーザに、録画対象番組の録画予約を同一内容番組の録画予約へ差し替えるか否かを選択させる（ステップＳ２００，Ｓ２１０，Ｓ２２０）ことができる。そのため、ユーザが所望する表現態様を採用した番組が、さらに録画され易くなると言える。
【００４３】
実施形態は上述の内容に限られるものではなく種々の態様が考えられ、後述するような各実施例を採用可能である。本明細書における実施形態や実施例を適宜組み合わせた構成も、本発明の開示範囲に入る。以下では、既に説明した事項が適宜適用されるものとし、主に、既に説明した事項と異なる点を主に説明する。
【００４４】
（第２実施例）
図７は、第２実施例にかかる録画予約処理を示すフローチャートである。当該フローチャートの各ステップは、ＣＰＵ２０により実行される。図７は、図４と比較したとき、図４のステップＳ１８０，Ｓ１９０，Ｓ２００の替わりにステップＳ１８５，Ｓ１９５，Ｓ２０５を有する点で異なり、それ以外は同じである。
【００４５】
ステップＳ１７０において録画対象番組の録画予約を受け付けたら、ＣＰＵ２０は、ステップＳ１８５において、事前確認画面ＡＳを表示装置２００に表示させる。事前確認画面ＡＳとは、今後取得される番組情報（ＥＰＧデータ）に同一内容番組が含まれていればステップＳ１７０で受け付け済みの録画対象番組の録画予約を当該同一内容番組の録画予約へ差し替えることの是非を、ユーザに事前に指示させるための画面である。事前確認画面ＡＳは、特許請求の範囲における第２画面の一例である。
【００４６】
図８は、事前確認画面ＡＳの一例である。事前確認画面ＡＳには、例えば、「この番組の字幕版が今後放送される場合、そちらに予約を差し替えますか？」等といったメッセージとともに、「はい」、「いいえ」のいずれかを選択させるための表示がなされる。
【００４７】
ステップＳ１９５では、ＣＰＵ２０は、事前確認画面ＡＳの表示に対する応答（外部つまりユーザのリモコン２の操作による指示）を監視し、リモコン２によって、「はい（差し替え許可）」が選択された場合にはステップＳ２０５へ進み、「いいえ（差し替え不許可）」が選択された場合にはステップＳ２２０へ進む。
【００４８】
ステップＳ２０５では、ＣＰＵ２０は、同一内容番組が、電子番組表ＰＧ（ＥＰＧデータ）に含まれているか否か判定する。ステップＳ２０５における判定方法は、ステップＳ１２０と同じである。ただし、ステップＳ２０５において参照するＲＯＭ２１に記憶されたＥＰＧデータは、ステップＳ１２０で参照したＥＰＧデータよりも新しいデータである。つまり、ステップＳ１７０で一旦、録画対象番組の録画予約を受け付け、かつ前記差し替え許可を受けた（ステップＳ１９５において“Ｙｅｓ”）後、新しいＥＰＧデータがテレビ放送から得られた場合に、当該新しいＥＰＧデータを参照して同一内容番組の有無を判定する。ＣＰＵ２０は、ステップＳ２０５において“同一内容番組有り”と判定した場合に、ステップＳ２１０へ進む。
【００４９】
このような第２実施例によれば、録画対象番組が選択されたタイミングでの、同一内容番組の有無の判定（ステップＳ１２０）において、“同一内容番組無し”と判定された場合であっても、事前確認画面ＡＳが表示され（ステップＳ１８５）、将来取得される番組情報（ＥＰＧデータ）に同一内容番組が含まれていれば録画対象番組の録画予約を当該同一内容番組の録画予約へ差し替えることの是非を、ユーザに問いかける。そして、事前確認画面ＡＳの表示に対する応答として差し替え許可が得られた場合、その後新たに取得されたＥＰＧデータに基づいて、再度、同一内容番組の有無の判定（ステップＳ２０５）がなされる。そして、当該再度の判定において“同一内容番組有り”と判定されると（ステップＳ２０５において“Ｙｅｓ”）、自動的に録画対象番組の録画予約を同一内容番組の録画予約へ差し替える（ステップＳ２１０）。そのため、ユーザが所望する表現態様を採用した番組が、より録画され易くなると言える。
【００５０】
（第３実施例）
前記表現態様が前記設定された表現態様と異なる録画対象番組が録画された後に新たに取得された番組情報（ＥＰＧデータ）に、前記同一内容番組の放送予定が含まれていることもあり得る。つまり、第１実施例であれば、ステップＳ１８０で“同一内容番組有り”と判定した時点で、既に、ステップＳ１７０で受け付けた録画対象番組の録画がされている場合であり、第２実施例であれば、ステップＳ２０５で“同一内容番組有り”と判定した時点で、既に、ステップＳ１７０で受け付けた録画対象番組の録画がされている場合である。
【００５１】
このように、録画対象番組が録画済みの状況で同一内容番組の放送予定を発見した場合、ＣＰＵ２０は、前記差し替えの指示を受けている場合（図４のステップＳ２００において“Ｙｅｓ”、または図７のステップＳ１９５において“Ｙｅｓ”）、録画済みの録画対象番組に上書きして同一内容番組を録画する。つまり、ＣＰＵ２０は、ステップＳ２１０に進んで録画予約処理（図４，７）を終えた場合、録画対象番組が録画済みであっても、同一内容番組を録画し、録画済みの録画対象番組を同一内容番組の録画結果で差し替える。当該第３実施例によれば、ユーザが所望する表現態様とは異なる表現態様の番組が録画された後であっても、最終的には  同じ内容であってユーザが所望する表現態様を採用した番組が録画され易い。
【００５２】
（第４実施例）
同一内容番組の放送予定の有無を判定するタイミングは、録画対象番組が選択されたタイミングに限られず、例えば、ユーザが、記憶媒体に録画された番組の中から再生の対象としていずれかの番組を選択したタイミングであってもよい。
【００５３】
図９は、第４実施例にかかる録画予約処理を示すフローチャートである。当該フローチャートの各ステップは、ＣＰＵ２０により実行される。
ステップＳ３００では、ＣＰＵ２０は、再生対象番組の選択を受け付けたか否か判定する。例えば、ＣＰＵ２０は、ユーザが操作するリモコン２からの指示により、ＨＤＤ部１２がハードディスクに録画済みの複数の番組の中からいずれかの番組が再生の対象（再生対象番組）として選択されたか否かを判定する。そして、再生対象番組の選択を受け付けた場合には、ステップＳ３１０へ進み、一方、再生対象番組の選択を受け付けていない場合には、ステップＳ３００の判定を繰り返す。
【００５４】
ステップＳ３１０では、ＣＰＵ２０は、再生対象番組の前記表現態様が、設定された表現態様と一致するか否か判定する。そして、再生対象番組の前記表現態様が、設定された表現態様と一致する場合は、ステップＳ３６０へ進み、一方、再生対象番組の前記表現態様が、設定された表現態様と異なる場合は、ステップＳ３２０へ進む。なお、前記表現態様が前記設定された表現態様と異なる録画対象番組が録画されて、そのような録画された録画対象番組がステップＳ３００で再生対象番組として選択された場合に、ステップＳ３１０の判定からステップＳ３２０へ処理が進む。
【００５５】
ステップＳ３６０では、ＣＰＵ２０は、再生対象番組を再生する。
一方、ステップＳ３２０では、ＣＰＵ２０は、再生対象番組と同じ内容の番組であってかつ前記表現態様が前記設定された表現態様である番組（同一内容番組）が、電子番組表ＰＧ（ＥＰＧデータ）に含まれているか否か判定する。このような同一内容番組の存在をＲＯＭ２１に記憶されたＥＰＧデータに基づいて抽出できた場合に、ＣＰＵ２０は“同一内容番組有り”と判定し、ステップＳ３３０へ進む。一方、同一内容番組が無い場合は、ステップＳ３６０（再生対象番組の再生）へ進む。
【００５６】
ステップＳ３３０では、ＣＰＵ２０は、選択画面を表示装置２００に表示させる。ステップＳ３３０において表示する選択画面も、同一内容番組（ステップＳ３２０で放送予定の存在が発見された同一内容番組）について録画予約するか否かをユーザに選択させるための画面であり、このような選択をさせるためのメッセージや、「はい」、「いいえ」といった選択肢を適宜含んでいる。
【００５７】
ステップＳ３４０では、ＣＰＵ２０は、ステップＳ３３０による選択画面の表示に対する応答（外部つまりユーザのリモコン２の操作による指示）を監視し、リモコン２によって、「はい（同一内容番組の録画予約）」が選択された場合にはステップＳ３５０へ進み、「いいえ（同一内容番組を録画予約しない）」が選択された場合にはステップＳ３６０（再生対象番組の再生）へ進む。ステップＳ３５０では、ＣＰＵ２０は、同一内容番組（ステップＳ３２０で放送予定の存在が発見された同一内容番組）の録画予約を受け付ける。ステップＳ３５０の後は、ステップＳ３６０（再生対象番組の再生）へ進む。
【００５８】
ただし、ステップＳ３５０に進んだ場合は、ユーザが所望する表現態様の番組（同一内容番組）が録画されることが確定しているため、ステップＳ３００で選択した再生対象番組を再生する必要性は低いとも言える。そのため、ＣＰＵ２０は、ステップＳ３５０の後は、（例えば、再生対象番組の再生の是非をユーザに再度問い合わせる等して、）ステップＳ３６０を経ることなく図９の処理を終えてもよい。
【００５９】
このような第４実施例によれば、レコーダ１００が録画済みの番組の中からユーザが任意に再生対象番組を選択したタイミングでも、再生対象番組の表現態様が、先に録画設定画面ＲＳを介して設定された表現態様と異なる場合は、同一内容番組の有無が判定され、同一内容番組の放送予定が有る場合には、ユーザに、同一内容番組を録画予約するか否かを選択させる。そのため、ユーザが所望する表現態様を採用した番組が録画される機会がより拡がる。
【００６０】
（第５実施例）
図１０は、第５実施例にかかる録画予約処理を示すフローチャートである。当該フローチャートの各ステップは、ＣＰＵ２０により実行される。
ステップＳ４００では、ＣＰＵ２０は、視聴対象番組の選択を受け付けたか否か判定する。例えば、ＣＰＵ２０は、ユーザが操作するリモコン２からの指示により、電子番組表ＰＧを表示装置２００に表示させ、電子番組表ＰＧに示された現在放送中のいずれかの番組番組が視聴の対象（視聴対象番組）として選択されたか否かを判定する。そして、視聴対象番組の選択を受け付けた場合には、ステップＳ４１０へ進み、一方、視聴対象番組の選択を受け付けていない場合には、ステップＳ４００の判定を繰り返す。
【００６１】
ステップＳ４１０では、ＣＰＵ２０は、視聴対象番組の前記表現態様が、設定された表現態様と一致するか否か判定する。そして、視聴対象番組の前記表現態様が、設定された表現態様と一致する場合は、ステップＳ４６０へ進み、一方、視聴対象番組の前記表現態様が、設定された表現態様と異なる場合は、ステップＳ４２０へ進む。
【００６２】
ステップＳ４６０では、ＣＰＵ２０は、視聴対象番組を表示装置２００に出力してユーザに視聴させる。
一方、ステップＳ４２０では、ＣＰＵ２０は、視聴対象番組と同じ内容の番組であってかつ前記表現態様が前記設定された表現態様である番組が、電子番組表ＰＧ（ＥＰＧデータ）に含まれているか否か判定する。第５実施例では、視聴対象番組と同じ内容の番組であってかつ前記表現態様が前記設定された表現態様である番組を、便宜上、同一内容番組と呼ぶ。同一内容番組の存在をＲＯＭ２１に記憶されたＥＰＧデータに基づいて抽出できた場合に、ＣＰＵ２０は“同一内容番組有り”と判定し、ステップＳ４３０へ進む。一方、同一内容番組が無い場合は、ステップＳ４６０（視聴対象番組の視聴）へ進む。
【００６３】
ステップＳ４３０では、ＣＰＵ２０は、選択画面を表示装置２００に表示させる。ステップＳ４３０において表示する選択画面も、同一内容番組（ステップＳ４２０で放送予定の存在が発見された同一内容番組）について録画予約するか否かをユーザに選択させるための画面であり、このような選択をさせるためのメッセージや、「はい」、「いいえ」といった選択肢を適宜含んでいる。
【００６４】
ステップＳ４４０では、ＣＰＵ２０は、ステップＳ４３０による選択画面の表示に対する応答（外部つまりユーザのリモコン２の操作による指示）を監視し、リモコン２によって、「はい（同一内容番組の録画予約）」が選択された場合にはステップＳ４５０へ進み、「いいえ（同一内容番組を録画予約しない）」が選択された場合にはステップＳ４６０（視聴対象番組の視聴）へ進む。ステップＳ４５０では、ＣＰＵ２０は、同一内容番組（ステップＳ４２０で放送予定の存在が発見された同一内容番組）の録画予約を受け付ける。ステップＳ４５０の後は、ステップＳ４６０（視聴対象番組の視聴）へ進む。ただし、ステップＳ４５０に進んだ場合は、ユーザが所望する表現態様の番組（同一内容番組）が録画されることが確定しているため、ステップＳ４００で選択した視聴対象番組をユーザに視聴させる必要性は低いとも言える。そのため、ＣＰＵ２０は、ステップＳ４５０の後は、（例えば、視聴対象番組の視聴の是非をユーザに再度問い合わせる等して、）ステップＳ４６０を経ることなく図１０の処理を終えてもよい。
【００６５】
このような第５実施例によれば、ユーザがリアルタイムで視聴したい番組（現在放送されている番組）を任意に選択したタイミングでも、その番組の表現態様が、先に録画設定画面ＲＳを介して設定された表現態様と異なる場合は、同一内容番組の有無が判定され、同一内容番組の放送予定が有る場合には、ユーザに、同一内容番組を録画予約するか否かを選択させる。そのため、ユーザが所望する表現態様を採用した番組が録画される機会がより拡がる。
【００６６】
（第６実施例）
これまでは、複数の前記表現態様のうち、いずれか一つの表現態様をユーザが優先すべき表現態様として設定する場合を説明した。しかし、複数の前記表現態様について、それらの間に優先順位を設定するとしてもよい。例えば、ＣＰＵ２０は、録画設定画面ＲＳを表示装置２００に表示させた上で、ユーザのリモコン２の操作に従って、複数の前記表現態様の優先順位の設定を受け付ける。以下では、優先順位として、「字幕版」が最も高く、「２ヵ国語音声版」が「字幕版」よりも低く、「吹き替え版」が「２ヵ国語音声版」よりも低く設定されたと仮定する。
【００６７】
このような優先順位の設定がなされた場合、ＣＰＵ２０は、これまで説明した各フローチャート（図４，７，９，１０）における処理を、以下のように読み替えて実行する。まず、ＣＰＵ２０は、ステップＳ１１０（図４，７）、ステップＳ３１０（図９）、ステップＳ４１０（図１０）では、録画（再生、視聴）対象番組の前記表現態様が、“優先順位が最も高い表現態様”に一致するか否か判定し、処理を分岐する。また、ステップＳ１２０（図４，７）、ステップＳ１８０（図４）、ステップＳ２０５（図７）、ステップＳ３２０（図９）、ステップＳ４２０（図１０）では、“同一内容番組”とは“録画（再生、視聴）対象番組と同じ内容の番組であって、前記表現態様が録画（再生、視聴）対象番組の表現態様よりも優先順位が高い表現態様である番組”と定義して同一内容番組の有無判定を行う。
【００６８】
当該第６実施例によれば、ＣＰＵ２０は、例えば、録画対象番組が、２ケ国語音声版の映画である場合、同じ映画であって字幕版の映画の放送予定がＥＰＧデータに含まれていれば、当該字幕版の映画を“同一内容番組”とするが、同じ映画であって吹き替え版の映画の放送予定がＥＰＧデータに含まれていても、当該吹き替え版の映画を“同一内容番組”としない。
【００６９】
また、例えば、録画対象番組が、吹き替え版の映画である場合、同じ映画であって字幕版、２ケ国語音声版いずれの映画も、“同一内容番組”たり得る。この場合、録画対象番組と同じ映画で、字幕版、２ケ国語音声版の両方の放送予定がＥＰＧデータに含まれている場合は、優先順位がより高い方（字幕版）の映画を“同一内容番組”とする。一方、録画対象番組と同じ映画で、字幕版、２ケ国語音声版のいずれか一方の映画しか、放送予定がＥＰＧデータに含まれていない場合は、その放送予定がＥＰＧデータに含まれている方の映画を“同一内容番組”とする。
このような第６実施例によれば、ユーザが録画（再生、視聴）しようとする番組よりも表現態様がユーザの好みにより近い番組が録画され易くなると言える。
【００７０】
さらに、
・上記各実施例の中で開示した相互に置換可能な部材および構成等を適宜その組み合わせを変更して適用すること、
・上記各実施例の中で開示されていないが、公知技術であって上記各実施例の中で開示した部材および構成等と相互に置換可能な部材および構成等を適宜置換し、またその組み合わせを変更して適用すること、
・上記各実施例の中で開示されていないが、公知技術等に基づいて当業者が上記各実施例の中で開示した部材および構成等の代用として想定し得る部材および構成等と適宜置換し、またその組み合わせを変更して適用すること、
は本発明の一実施例として開示されるものである。
【符号の説明】
【００７１】
１…レコーダ本体、２…リモコン、１１…チューナ、１２…ＨＤＤ部、１３…ＤＶＤ部、１４…信号処理部、１５…ＥＰＧデータ抽出部、１６…ＯＳＤ部、１７…合成部、１８…出力部、１９…受信部、２０…ＣＰＵ、２１…ＲＯＭ、２２…ＲＡＭ、１００…レコーダ、２００…表示装置、ＡＳ…事前確認画面、ＰＧ…電子番組表、ＲＳ…録画設定画面、ＳＳ１，ＳＳ２…選択画面
【図１】
2015226120.tif 000003
【図２】
2015226120.tif 000004
【図３】
2015226120.tif 000005
【図４】
2015226120.tif 000006
【図５】
2015226120.tif 000007
【図６】
2015226120.tif 000008
【図７】
2015226120.tif 000009
【図８】
2015226120.tif 000010
【図９】
2015226120.tif 000011
【図１０】
2015226120.tif 000012